(57)【要約】【課題】  作業員の歩行の障害とならず、接触したり踏まれても垂直な姿勢を保ち、また遮炎作用や防煙効果を発揮して防火性を高めた吊りボルト螺着用インサートとする。【解決手段】  インサート３はインナ部材１とアウタ部材２とからなる。前者は、ねじ孔４が形成されて上下に延びる軸胴９とその上部に形成された笠状ヘッド１０とを備える。後者は、穿孔の縁部に臨む首部１３から上に形成された孔抜け防止用の鍔状ストッパ１４と、首部１３から下に形成され上下方向に入ったスリット１５により拡股可能となった係止レグ１６とを備える。笠状ヘッド１０は、インナ部材１がアウタ部材２に上方から叩き込まれると、鍔状ストッパ１４を覆い周縁１２が穿孔１１の周囲のデッキプレート面に着座する大きさであり、係止レグ１６の内面には、進入してきた軸胴９に押し退けられると外方へせり出させるテーパ１７が形成されている。【選択図】      図１
2006026916.tif 000002
【特許請求の範囲】
【請求項１】
連続する一定の波形断面を有して長手方向へ延びる金属プレートの下方で所要物を吊持するため、該金属プレートに設けられた穿孔に固定され、下向きに開口するねじ孔に吊りボルトの上端部を螺着させる天井プレート用インサートにおいて、
前記ねじ孔が形成されて上下に延びる軸胴と、その上部に形成された笠状ヘッドを備えるインナ部材と、
前記穿孔に上方から挿入され、穿孔縁に臨む首部から上に形成された孔抜け防止用の鍔状ストッパと、首部から下に形成され上下方向に入ったスリットにより拡股可能となった係止レグを備えるアウタ部材とからなり、
前記笠状ヘッドは、インナ部材がアウタ部材に上方から叩き込まれると、前記鍔状ストッパを覆い周縁が前記穿孔周囲のデッキプレート面に着座する大きさとされ、
前記係止レグの内面には、進入してきた軸胴に触れると外方へせり出させるテーパが形成されていることを特徴とする吊りボルト螺着用インサート。
【請求項２】
連続する一定の波形断面を有して長手方向へ延びる金属プレートの下方で所要物を吊持するため、下向きに開口するねじ孔に吊りボルトの上端部を螺着させるインサートを、前記金属プレートに設けられた穿孔に取りつける方法において、
前記ねじ孔が形成されて上下に延びる軸胴とその上部に形成された笠状ヘッドを備えるインナ部材を、穿孔縁に臨む首部から上に形成された孔抜け防止用の鍔状ストッパと首部から下に形成され上下方向に入ったスリットにより拡股可能となった係止レグを備えるアウタ部材に重ね、軸胴の下端部を首部に嵌着させた状態で係止レグを穿孔に通してアウタ部材を金属プレートに嵌着させ、
インナ部材の笠状ヘッドを叩くだけで、インナ部材を係止レグに緊着させると共に拡股させてインサートを金属プレートに固定し、さらには笠状ヘッドが前記鍔状ストッパを覆いつつその周縁を穿孔周囲の金属プレート面に着座させることを特徴とする吊りボルト螺着用インサートの取付け操作方法。
【発明の詳細な説明】
【技術分野】
【０００１】
本発明は吊りボルト螺着用インサートおよびインサート取付け操作方法に係り、詳しくは、デッキプレート等の天井プレート材に吊り天井構造等が施工される際に所要物を吊り下げるために使用されるインサート、ならびにそのインサートを取り付ける方法に関するものである。
【背景技術】
【０００２】
デッキプレートは峰部水平条辺と谷部水平条辺とが傾斜ウエブ条辺を介して繰り返すように連続し、一定の断面形状を保った幾つかの条部を有した鋼製の波形プレートであり、例えば鉄骨梁上に多数並べるようにして渡され、その上面にコンクリートが打設されると建築物の合成床板を形成する。
【０００３】
図６に示すように、打設されたコンクリート２１と複合して合成床板２２を形成する合成スラブ用デッキプレート５の下面には天井構造が施工される。このデッキプレートにはインサート２３が取りつけられ、そのインサートを介して吊り天井構造を実現する方式が古くからある。
【０００４】
そのインサートの一例が、特開平４−１４８９０３号公報に記載されている。これは、インサート２３が峰部水平条辺６か谷部水平条辺７のいずれかに固定され、筒胴の内部に刻設された雌ねじが下向きに開口し、これに吊りボルト２０の上端部を螺着させるようにしている。その吊りボルトの下端部には吊り金具２４を介して野縁受け２５が取りつけられ、その野縁受けにクリップ等を介して野縁２６が固定され、野縁の下に図示しない天井板が張りつけられる。
【０００５】
その筒胴の下端部には、プレートに着座する鍔部２７が設けられる。峰部水平条辺に穿設されている穿孔１１に臨むようにインサート２３が配置され、デッキプレート５の下方から雌ねじ部に吊りボルト２０に相当する治具を噛みあわせて直立姿勢が維持される。その状態でコンクリートがデッキプレート上面に打設されると、インサートが直立状態で埋設される。コンクリート２１はインサート全体をホールドし、筒胴と鍔部がコンクリートに噛みあって一体化を助長する。治具を外してデッキプレートを仰げば、穿孔１１から雌ねじ部が覗き見え、これに吊りボルトを螺着することができる。
【０００６】
このようにインサートが穿孔の上側のみに位置する場合には、下方から姿勢を保持する棒状の治具が必要となる。実用新案登録第２５８４９０２号公報においては、円筒部の一部を穿孔に挿通させることにより、治具を必要としないインサートが提案されている。これは、円筒部の下部に鍔を持つと共にその直下に弾性変形可能な係止舌片を有する。円筒体を上から穿孔に強引に押し込むと鍔がデッキプレートの上面に到った時点で止まるが、穿孔を通過した係止舌片が復元してデッキプレートを鍔と舌片で挟む。
【０００７】
このインサートも円筒部の上端にもう一つの鍔が形成されていて、デッキプレート上にコンクリートを打って初めて上の鍔がコンクリートに係合し、インサートの垂直な姿勢が強固に保持されるようになっている。すなわち、コンクリートを打設する前の状態においてはデッキプレートを挟み込んでいるだけでグラグラした状態にある。従って、コンクリートによるホールドを高めるために、円筒部は長いことが好ましい。逆に言えば、鍔と舌片でデッキプレートを挟むのはインサートを仮り付けしておく程度の意味合いを持つにすぎない。
【０００８】
ところで、デッキプレートなるものは建築作業の足場ともなるものであるので、作業員が頻繁に歩行する。コンクリートが打設される前の段階でデッキプレート上に補強鉄筋を組むなどすることもあり、その際に作業員がセット状態にあるインサートに不注意につまづいたり蹴り飛ばしてしまうことは避けられない。これは、上でも触れたが打設されたコンクリートで姿勢保持を達成しようとするため、デッキプレート上に突出する寸法を少なからず確保しているからである。
【０００９】
作業員がインサートの仮り付け状態を乱した場合は当然に手直さなければならないが、二度手間になることは言うまでもない。逆に配筋を済ませてからインサートを設置する場合には、鉄筋が邪魔になって作業負担は大きい。前者の欠点を解消するために、円筒部にコイルスプリングを掛けるなどして、作業員が倒しても自動的に直立姿勢に戻るようにしたインサートもあるが、高価となることは否めず、また取りつけ作業も複雑化しまた煩雑となる。
【００１０】
いずれにしても、デッキプレートにコンクリートを打設する合成床板とした場合に使用することを目的としているので、そのコンクリートの固化によってインサートの姿勢を確固たるものにしようとする。一方、コンクリートを打つことなくデッキプレートを使用する例が昨今見受けられるようになってきた。この場合も、プレートに孔をあけ、インサートを取りつけて天井板を支えたり、各種配管・配線を支持することがある。
【００１１】
この外断熱金属屋根下地工法の場合、上記した構造や形状のインサートであると、コンクリートがないから姿勢の安定が図られない。それだけでなく、防火上の問題も生じる。すなわち、デッキプレートに設けられた穿孔に残る僅かな隙間から火炎が伝播したり煙が漏出し、コンクリート等の遮断物がないため防火面での万全は期し難いものとなる。
【特許文献１】特開平４−１４８９０３号公報
【特許文献２】実用新案登録第２５８４９０２号公報
【発明の開示】
【発明が解決しようとする課題】
【００１２】
本発明は上記の問題に鑑みなされたもので、その目的は、金属プレートが合成床板用デッキプレートとして使用される場合には作業員の歩行の障害とならず、たとえ接触したり踏まれても垂直な姿勢を崩さず、また、コンクリートの打設されない金属屋根下地用デッキプレートに適用される場合には遮炎作用や防煙効果を発揮して防火性を高めることができるようにした吊りボルト螺着用インサートおよびその取付け操作方法を提供することである。
【課題を解決するための手段】
【００１３】
本発明は、連続する一定の波形断面を有して長手方向へ延びる金属プレートの下方で所要物を吊持するため、金属プレートに設けられた穿孔に固定され、下向きに開口するねじ孔に吊りボルトの上端部を螺着させる天井プレート用インサートに適用される。その特徴とするところは、図１を参照して、ねじ孔４が形成されて上下に延びる軸胴９とその上部に形成された笠状ヘッド１０を備えるインナ部材１と、穿孔１１（図５の（ｂ）を参照）に上方から挿入され穿孔縁に臨む首部１３から上に形成された孔抜け防止用の鍔状ストッパ１４と首部１３から下に形成され上下方向に入ったスリット１５により拡股可能となった係止レグ１６を備えるアウタ部材２とからなる。笠状ヘッド１０は、インナ部材１がアウタ部材２に上方から叩き込まれると、鍔状ストッパ１４を覆い周縁１２が穿孔１１の周囲のデッキプレート面に着座する大きさとされる（図４の（ｂ）を参照）、係止レグ１６の内面には、進入してきた軸胴９に押し退けられると外方へせり出させるテーパ１７が形成されていることである。
【００１４】
インサート取付操作方法の発明は、図１の（ｂ）に示すように、ねじ孔４が形成されて上下に延びる軸胴９とその上部に形成された笠状ヘッド１０を備えるインナ部材１を、穿孔縁に臨む首部１３から上に形成された孔抜け防止用の鍔状ストッパ１４と首部１３から下に形成され上下方向に入ったスリット１５により拡股可能となった係止レグ１６を備えるアウタ部材２に重ね、軸胴９の下端部を首部１３に嵌着させた状態で係止レグ１６を穿孔１１に通してアウタ部材２を金属プレート５に嵌着させる（図５の（ｃ）を参照）。インナ部材１の笠状ヘッド１０を叩くだけで、インナ部材１を係止レグ１６に緊着させると共に拡股させてインサート３を金属プレート５に固定し、さらには笠状ヘッド１０が鍔状ストッパ１４を覆いつつその周縁１２を穿孔１１の周囲の金属プレート面に着座させるようにしたことである（図４の（ｂ）を参照）。
【発明の効果】
【００１５】
本発明によれば、インナ部材がアウタ部材に上方から叩き込まれると、笠状ヘッドが鍔状ストッパを覆い周縁が穿孔周囲のプレート面に着座するようになるので、天井プレートの上面に出るのは笠状ヘッドのみの低いものとなる。合成床板用デッキプレートに適用された場合に配筋工がデッキ上を往来するなどしても、それにつまずくことはなくまた踏みつけても姿勢を乱すこともない。
【００１６】
外断熱金属屋根下地工法等コンクリートが打設されない金属屋根下地用デッキプレートに適用されても、笠状ヘッドが穿孔を蓋した状態とするので、炎や煙の通過が阻止されて防火性の高いインサートとなる。アウタ部材が可燃性素材で製作されていてそれが消失したとしても、インサートは吊持物の重みでプレートに着座し続け、穿孔は笠状ヘッドによって依然として閉鎖した状態に保たれる。
【００１７】
インサート取付け操作方法によれば、笠状ヘッドをハンマ等で叩くだけで、アウタ部材を穿孔に押し込みつつインナ部材の進入で係止レグを拡股させ、しかも笠状ヘッドの周縁をデッキプレート上面に着座させることができる。コンクリートを金属屋根下地用デッキプレート上に打設することなく、一操作でインサートの固定と姿勢保持が達成される。
【発明を実施するための最良の形態】
【００１８】
以下に、本発明に係る吊りボルト螺着用インサートやインサート取付け操作方法を、図面を参照しながら詳細に説明する。図１はインナ部材１とアウタ部材２とからなるインサート３の外面および断面を表し、インナ部材１は図２の（ａ）ないし（ｄ）に、アウタ部材２は図３の（ａ）ないし（ｄ）に、それぞれの詳細が表されている。これは、天井下地等を吊持するため、後述するごとくデッキプレートにあけられた穿孔に固定され、下向きに開口するねじ孔４に吊りボルトを螺着させることができるようになっている。
【００１９】
デッキプレート５は、図６の説明のところで述べたが、峰部水平条辺６と谷部水平条辺７とが傾斜ウエブ条辺８を介して繰り返すように連続する一定の波形断面を有して長手方向へ延びるものである。この上に補強用の配筋をした後コンクリートを打設すれば合成床板構造となり、打設しなければ外断熱金属屋根下地を形成する。このようにデッキプレートは湿式工法にも乾式工法にも幅広く使用されるものであるが、いずれにも本発明に係るインサートを適用することができる。
【００２０】
図２を参照して、インナ部材１はねじ孔４が形成されて上下に延びる軸胴９と、その上部に形成された笠状ヘッド１０とを備える。笠状ヘッドは、後で述べるごとくインナ部材１がアウタ部材２に上方から叩き込まれると、図４の（ｂ）に示すように、デッキプレート５の峰部水平条辺または谷部水平条辺７に設けられた穿孔１１の周囲面に着座する垂れ下がり縁１２を持つ。このインナ部材１は原則として金属品であり、ハンマによる打撃を受けても変形しない硬さや強さを備えるものである。
【００２１】
図３はアウタ部材２であり、穿孔縁に臨む首部１３から上に形成された孔抜け防止用の鍔状ストッパ１４と、首部から下に形成され上下方向に入ったスリット１５により拡股可能となった係止レグ１６とを備える。これは図４にあるように、穿孔１１に対しては上方から挿入される。係止レグ１６の内面は、進入してきた軸胴９に押し退けられると係止レグを外方へせり出させるテーパ１７（図３の（ｄ）も参照）が形成される。鍔状ストッパ１４は笠状ヘッド１０よりも小径で与えられ、笠状ヘッドにすっぽりと覆われる程度の直径と厚みを持つ（図４の（ｂ）を参照）。
【００２２】
インナ部材１はその係止レグ１６を拡股させることができる必要がある（図４の（ａ）を参照）ので、アウタ部材２はある程度変形可能な素材が使用される。一般的にはプラスチック材で差し支えなく、ナイロン６６といったものであれば十分である。アルミや鉛などの軟質金属としておいてもよい。前者は火災時に消失することがあるが、笠状ヘッド１０による防火が後述するごとくなされるので、インナ部材は材質の選択幅が広くなる。
【００２３】
上で述べたインナ部材１がアウタ部材２に上方から叩き込まれると、図４の（ｂ）に示すように、笠状ヘッド１０が鍔状ストッパ１４を覆い、かつ周縁１２が穿孔１１の周囲のデッキプレート面に着座するので、インサート自体デッキプレートの上面に見えるのは笠状ヘッド１０のみとなる。笠状ヘッドは鍔状ストッパ１４を覆うに十分なものでよいので例えば３ないし５ミリメートル高さとしておくことができる。このように低いものとすることができるから、湿式工法デッキプレートに適用された場合、補強材を配筋する作業員がつまずくことはほとんどなく、踏みつけられても姿勢が乱れることもない。
【００２４】
コンクリートが打設されない外断熱金属屋根下地としてのデッキプレートに適用されるにしても、そしてアウタ部材２の変形度を上げるために可燃性素材で製作されたとして、それが火災で焼損し空隙が生じたとしても、依然として吊持物の重みが作用する笠状ヘッド１０は穿孔１１を閉止状態に保つ。炎や煙の通過が阻止され、防火性に優れたインサートとなる。
【００２５】
次に、デッキプレート５に本インサート３を適用して、取付け操作する要領について説明する。まず、図５の（ａ）に示すように、デッキプレート５に穿孔１１を形成すべく、ドリル等１８によって所望径の孔をあける。この孔はアウタ部材２の首部１３が挿通できればよいので、（ｂ）に示すように、鍔状ストッパ１４よりは当然に径の小さいものとされる。それは、例えば係止レグ１６の自由状態時の外径より少し大きい程度の１５ミリメートルである。なお、デッキプレート５は１．５ミリメートル前後の厚みを持つ。
【００２６】
次に、軸胴９と笠状ヘッド１０とを備えるインナ部材１を、鍔状ストッパ１４と係止レグ１６とを備えるアウタ部材２に重ね（図１の（ｂ）も参照）、軸胴９の下端部を首部１３の内面に嵌着させた程度の状態で係止レグ１６を穿孔１１に通し、アウタ部材２をデッキプレート５に嵌着させる。図５の（ｃ）のように、インナ部材１の笠状ヘッド１０をハンマ１９で叩けば、インナ部材の軸胴９を係止レグ１６に緊着させると共に拡股させ、（ｄ）のようにインサート３をデッキプレート５に固定する。同時に、図４の（ｂ）に示したように、笠状ヘッド１０が鍔状ストッパ１４を覆いつつその垂れ下がり縁１２を穿孔周囲の面に着座させる。インサート３がデッキプレート５に固定された後に、図５の（ｆ）に示すごとく吊りボルト２０をねじ込めばよい。
【００２７】
この操作は一連でなされるので作業負担や時間の増大は回避される。すなわち、コンクリートを打設しなくてもインサートの固定がなされるわけであるから、デッキプレートが外断熱金属屋根下地として使用されようが、合成床板として使用されようが、一工程処理でインサートが装着されることになり、従前から採用されているインサートでは考えられないほど簡素な作業となる。また外断熱金属屋根下地にも併用できるインサートは存在しなかったが、本発明によって両用可能なインサートが実現されたことになる。
【００２８】
以上詳細に説明したように、本発明の吊りボルト螺着用インサートによれば、金属プレートの上面における突出は可及的に抑えられ、作業員の歩行を妨げたり、逆に作業員によって傷つけられたりすることもなくなる。防火機能の向上も施工性の向上も図られ、比類のないインサートとなる。
【図面の簡単な説明】
【００２９】
【図１】本発明に係る吊りボルト螺着用インサートを示し、（ａ）は正面図、（ｂ）は（ａ）におけるＢ−Ｂ線矢視断面図。
【図２】インナ部材の単体を示し、（ａ）は上面図、（ｂ）は正面図、（ｃ）は下面図、（ｄ）は断面図。
【図３】アウタ部材の単体を示し、（ａ）は上面図、（ｂ）は正面図、（ｃ）は下面図、（ｄ）は断面図。
【図４】インナ部材がアウタ部材に叩き込まれた状態を示し、（ａ）は外面図、（ｂ）は断面図。
【図５】インサートをデッキプレートに取りつける手順を示す工程図。
【図６】デッキプレートに従来構成のインサートの一例品を装着し、それに天井下地を吊り下げたた構造の立体図。
【符号の説明】
【００３０】
１…インナ部材、２…アウタ部材、３…インサート、４…ねじ孔、５…デッキプレート（金属プレート）、９…軸胴、１０…笠状ヘッド、１１…穿孔、１２…垂れ下がり縁（周縁）、１３…首部、１４…鍔状ストッパ、１５…スリット、１６…係止レグ、１７…テーパ、２０…吊りボルト。
【図１】
2006026916.tif 000003
【図２】
2006026916.tif 000004
【図３】
2006026916.tif 000005
【図４】
2006026916.tif 000006
【図５】
2006026916.tif 000007
【図６】
2006026916.tif 000008